(57)【特許請求の範囲】
【請求項１】
吐水口を有し、前記吐水口から水を噴射して使用者の身体を洗浄するノズルと、
給水源から供給される水を前記吐水口へ導く流路と、
前記流路の途中に設けられ、殺菌水を生成可能な電解槽と、
前記電解槽よりも上流側の流路に設けられた加熱手段と、
前記加熱手段により加熱された水または前記電解槽により生成された殺菌水にて前記ノズルを洗浄または殺菌するノズル洗浄手段と、
前記電解槽に通電させる際には、前記加熱手段への通電を停止させる、または前記加熱手段への通電量を前記電解槽に通電させる前の前記加熱手段への通電量よりも低減させる制御を実行する制御部と、
を備えたことを特徴とする衛生洗浄装置。
【請求項２】
前記低減させる通電量は、前記加熱手段により加熱される水の温度が前記身体を洗浄する際の水の温度の設定値よりも低い温度となるような通電量であることを特徴とする請求項１記載の衛生洗浄装置。
【請求項３】
前記制御部は、前記電解槽に通電させる際に、前記加熱手段により加熱された水が前記電解槽内にある場合には、前記加熱手段への通電を停止させ、前記電解槽内にある加熱された水を加熱されていない水に置換させた後に前記電解槽への通電を開始させることを特徴とする請求項１記載の衛生洗浄装置。
【請求項４】
前記使用者の利用を検知する人体検知手段をさらに備え、
前記制御部は、前記人体検知手段が前記使用者の利用を検知しなくなった後に、前記電解槽に通電させ前記殺菌水にて前記ノズルを殺菌させることを特徴とする請求項１〜３のいずれか１つに記載の衛生洗浄装置。
【請求項５】
前記制御部は、前記人体検知手段が前記使用者の利用を検知しなくなってから所定時間後に、前記電解槽に通電させ前記殺菌水にて前記ノズルを殺菌させることを特徴とする請求項４記載の衛生洗浄装置。
【請求項６】
前記殺菌水は、次亜塩素酸を含む水であることを特徴とする請求項１〜５のいずれか１つに記載の衛生洗浄装置。
【請求項７】
前記電解槽よりも下流側の流路に設けられ、前記殺菌水を便器のボウルの表面に吐水する殺菌水吐水ノズルをさらに備えたことを特徴とする請求項１〜６のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
便座に座った使用者の「おしり」などの身体を洗浄する洗浄ノズルは、その洗浄ノズルや温水タンクなどの所定の機能部品を取り付けるケーシングから少なくとも一部を外部に露出（進出）した状態で身体に洗浄水を噴射する。そのため、洗浄ノズルには汚水や汚物が付着するおそれがある。これに対して、身体洗浄を行う前や行った後において、洗浄ノズルに付着した汚水や汚物を洗い流し除去する衛生洗浄装置がある。これにより、洗浄ノズルは清潔に保たれている。
【０００３】
しかしながら、洗浄ノズルに付着した汚水や汚物を洗い流した場合でも、トイレ室のような湿潤な環境においては、時間の経過とともに菌が洗浄ノズルに繁殖する場合がある。より具体的には、便器のボウル面などに発生する例えばピンクスライムなどと呼ばれるメチロバクテリウムや、黒かびなどの細菌が洗浄ノズルに付着し、その洗浄ノズルに菌が繁殖するおそれがある。そして、菌が繁殖することにより、例えばバイオフィルムなどと呼ばれるバクテリアおよびその分泌物の集まり（ぬめり、黒色汚れ）が形成されると、前述したような通常のノズル洗浄では、そのバイオフィルムを除去することが困難となる。
【０００４】
これに対して、ノズル洗浄生成部として電解槽が組み込まれた局部洗浄装置がある（特許文献１）。特許文献１に記載された局部洗浄装置では、洗浄水として水道水を使ったときには、この中に含まれる塩素が電気分解によって次亜塩素酸に化学変化し、酸性の薬液としてクリーニングすることができる。このため、特にアンモニア等による汚れに対して効果的なクリーニングが可能となる。
【０００５】
このとき、電解槽で生成された洗浄水を効率的に利用するためには、電解槽がノズルのより近い部分に設けられることがより好ましい。そこで、温水タンクよりも下流側の流路に電解槽が設けられた局部洗浄装置がある（特許文献２）。特許文献２に記載された局部洗浄装置では、電解槽内の温水が電気分解されて電解水が生成される。そして、ノズル洗浄手段は、おしり洗浄ノズル及びビデ洗浄ノズルに対して温水を洗浄水として噴射する。
【０００６】
しかしながら、温水が電気分解されて電解水が生成されると、いわゆる「スケール」などと呼ばれる炭酸カルシウムなどが生成されやすい。スケールが電解槽の電極に付着すると、電解水の生成能力が低下するという問題がある。
【０００７】
これに対して、特許文献２に記載された局部洗浄装置は、スケールを除去するために、電極への印加電圧の極性を反転させている。また、これと同様に、電解槽の電極の陽極側と陰極側の極性を切り換える極性切り換え手段を備えた電解槽の制御装置がある（特許文献３）。特許文献２および３にそれぞれ記載された局部洗浄装置および電解槽の制御装置によれば、生成されたスケールは、極性反転により電極の表面から剥離される。
【０００８】
しかしながら、極性反転を行うまでに生成されるスケールの量が多いと、流路が比較的狭い衛生洗浄装置では、電極から剥離したスケールにより流路が閉塞するおそれがある。また、局部洗浄を行った後では、温水タンクなどの加熱手段が動作していなくとも、流路および電解槽は、局部洗浄の際の温水で満たされている。そのため、局部洗浄を行った後でもスケールが生成され、そのスケールの量が多くなるおそれがある。一方、極性反転を頻繁に行うと、電解槽の電極がより早く劣化し、その電極の寿命がより短くなるという問題がある。
【先行技術文献】
【特許文献】
【０００９】
【特許文献１】特許第３４８７４４７号公報
【特許文献２】特開２００５−１５５０９８号公報
【特許文献３】特開平１０−３４１５６号公報
【発明の概要】
【発明が解決しようとする課題】
【００１０】
本発明は、かかる課題の認識に基づいてなされたものであり、スケールの生成の増加を抑えることができる衛生洗浄装置を提供することを目的とする。
【課題を解決するための手段】
【００１１】
第１の発明は、吐水口を有し、前記吐水口から水を噴射して使用者の身体を洗浄するノズルと、給水源から供給される水を前記吐水口へ導く流路と、前記流路の途中に設けられ、殺菌水を生成可能な電解槽と、前記電解槽よりも上流側の流路に設けられた加熱手段と、前記加熱手段により加熱された水または前記電解槽により生成された殺菌水にて前記ノズルを洗浄または殺菌するノズル洗浄手段と、前記電解槽に通電させる際には、前記加熱手段への通電を停止させる、または前記加熱手段への通電量を前記電解槽に通電させる前の前記加熱手段への通電量よりも低減させる制御を実行する制御部と、を備えたことを特徴とする衛生洗浄装置である。
【００１２】
この衛生洗浄装置によれば、電解槽への通電を開始させ、電解槽において殺菌水を生成させ、ノズルを殺菌させる際には、加熱手段への通電を停止させる、または加熱手段への通電量を前記電解槽に通電させる前の前記加熱手段への通電量よりも低減させる。そのため、制御部が電解槽への通電を開始させる際には、電解槽の中の水は、加熱されていない水、または電解槽に通電させる前の水の温度よりも低い温度の水である。これにより、スケールの生成の増加を抑えることができる。
【００１３】
また、第２の発明は、第１の発明において、前記低減させる通電量は、前記加熱手段により加熱される水の温度が前記身体を洗浄する際の水の温度の設定値よりも低い温度となるような通電量であることを特徴とする衛生洗浄装置である。
【００１４】
この衛生洗浄装置によれば、制御部は、加熱手段により加熱される水の温度が身体洗浄を実行する際の温水温度の設定値よりも低い温度となるような通電量に加熱手段の通電量を低減させる。ここで、制御部は、加熱手段への通電量を低減させているときでも、流路や電解槽などの中の水が凍結することを防止するために、水温が所定温度（例えば約６℃程度）以下になると、加熱手段に通電（加熱手段をオン／オフ制御）させ水温を上昇させる場合がある。この場合でも、凍結防止のための通電量は、加熱手段により加熱される水の温度が身体洗浄を実行する際の温水温度の設定値よりも低い温度となるような通電量である。そのため、この場合でも、スケールの生成の増加を抑えることができる。
【００１５】
また、使用者が離座した後やトイレ室から退室した後などには、次の使用者のために身体を洗浄する際の水の温度で殺菌を行うことはなく、制御部は、加熱手段により加熱される水の温度が身体洗浄を実行する際の温水温度の設定値よりも低い温度となるような通電量に加熱手段の通電量を低減させる。そのため、身体洗浄の際の水の温度の設定値よりも低い温度の殺菌水でノズルを殺菌することができる。これにより、スケールの生成の増加を抑えることができる。
【００１６】
また、第３の発明は、第１の発明において、前記制御部は、前記電解槽に通電させる際に、前記加熱手段により加熱された水が前記電解槽内にある場合には、前記加熱手段への通電を停止させ、前記電解槽内にある加熱された水を加熱されていない水に置換させた後に前記電解槽への通電を開始させることを特徴とする衛生洗浄装置である。
【００１７】
この衛生洗浄装置によれば、制御部は、電解槽に通電させる際に、加熱手段により加熱された水が電解槽内にある場合には、電解槽内にある加熱された水を加熱されていない水に置換させた後に電解槽への通電を開始させる。そのため、制御部が電解槽への通電を開始させる際には、電解槽の中の温水は、加熱されていない水に置換されている。これにより、加熱手段により加熱された水が電解槽において電気分解されることをより抑えることができる。スケールの生成の増加を抑えることができる。
【００１８】
また、第４の発明は、第１〜第３のいずれか１つの発明において、前記使用者の利用を検知する人体検知手段をさらに備え、前記制御部は、前記人体検知手段が前記使用者の利用を検知しなくなった後に、前記電解槽に通電させ前記殺菌水にて前記ノズルを殺菌させることを特徴とする衛生洗浄装置である。
【００１９】
この衛生洗浄装置によれば、制御部は、人体検知手段が使用者の利用を検知しなくなった後に、電解槽に通電させ殺菌水にてノズルを殺菌させる。そのため、使用者の身体洗浄の利用を考慮する必要はなく、流路内に温水を保持しておく必要はない。これにより、制御部は、加熱手段への通電を停止させた状態で殺菌水を生成させることができる。
【００２０】
また、第５の発明は、第４の発明において、前記制御部は、前記人体検知手段が前記使用者の利用を検知しなくなってから所定時間後に、前記電解槽に通電させ前記殺菌水にて前記ノズルを殺菌させることを特徴とする衛生洗浄装置である。
【００２１】
使用者が便座から離座した後にすぐに衛生洗浄装置を利用する場合を考慮し、加熱手段により加熱された温水を流路内に残しておく場合がある。この場合でも、この衛生洗浄装置によれば、人体検知手段が使用者の利用を検知しなくなってから所定時間後に、電解槽に通電させ殺菌水にてノズルを殺菌させる。そのため、制御部は、使用者が便座から確実に離座した後にノズルを殺菌させることができる。
【００２２】
また、第６の発明は、第１〜第５のいずれか１つの発明において、前記殺菌水は、次亜塩素酸を含む水であることを特徴とする衛生洗浄装置である。
【００２３】
電解槽により生成される殺菌水は、銀イオンや銅イオンなどの金属イオンを含む溶液や、電解塩素やオゾンなどを含む溶液などが挙げられる。これらの中でも、次亜塩素酸を含む溶液は、より強い殺菌力を有する。そのため、この衛生洗浄装置によれば、より強い殺菌力を有する次亜塩素酸を含む溶液によりノズルを殺菌することができる。
【００２４】
また、第７の発明は、第１〜第６のいずれか１つの発明において、前記電解槽よりも下流側の流路に設けられ、前記殺菌水を便器のボウルの表面に吐水する殺菌水吐水ノズルをさらに備えたことを特徴とする衛生洗浄装置である。
【００２５】
この衛生洗浄装置によれば、便器のボウルの表面に殺菌水を吐水する殺菌水吐水ノズルが、身体を洗浄するノズルとは別体として設けられている。衛生洗浄装置は、一般的には、便器の上に設置され利用される。そのため、本発明にかかる衛生洗浄装置によれば、便器のボウルの表面に存在する菌を殺菌する装置として有効に利用することができる。
【発明の効果】
【００２６】
本発明の態様によれば、スケールの生成の増加を抑えることができる衛生洗浄装置が提供される。
【図面の簡単な説明】
【００２７】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態のノズルユニットの具体例を例示する斜視模式図である。
【図４】本実施形態にかかる衛生洗浄装置の動作と流路の状態との概略を表す概念模式図である。
【図５】本実施形態の電解槽ユニットにおいて生成されるスケールを説明するための平面模式図である。
【図６】ｐＨの変化に基づく炭酸カルシウムおよび炭酸イオンの溶解量の変化を表すグラフ図である。
【図７】本実施形態の熱交換器ユニットにおいて生成されるスケールを説明するための平面模式図である。
【図８】温度変化に基づく炭酸カルシウムの溶解量の変化を表すグラフ図である。
【図９】本実施形態にかかる衛生洗浄装置の動作の具体例を例示するタイミングチャートである。
【発明を実施するための形態】
【００２８】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００２９】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００３０】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ（人体検知手段）４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００３１】
ノズル４７３の先端部には、ひとつあるいは複数の吐水口４７４が設けられている。そして、ノズル４７３は、その先端部に設けられた吐水口４７４から水を噴射して、便座２００に座った使用者の「おしり」などを洗浄することができる。
【００３２】
より具体的に説明すると、本実施形態にかかる衛生洗浄装置１００は、図２に表したように、水道や貯水タンクなどの給水源１０から供給された水をノズル４７３の吐水口４７４に導く流路２０を有する。流路２０の上流側には、電磁弁４３１が設けられている。電磁弁４３１は、開閉可能な電磁バルブであり、ケーシング４００の内部に設けられた制御部４０５からの指令に基づいて水の供給を制御する。なお、流路２０は、電磁弁４３１から下流側の２次側とする。
【００３３】
電磁弁４３１の下流には、熱交換器ユニット（加熱手段）４４０が設けられている。熱交換器ユニット４４０は、温水ヒータ４４１を有する。温水ヒータ４４１は、供給された水を加熱し、所定の温水にする。温水ヒータ４４１の上流側には図示しない入水サーミスタが設けられ、温水ヒータ４４１の下流側には図示しない温水サーミスタが設けられている。なお、温水温度については、例えば、使用者が操作部５００を操作することにより設定することができる。
【００３４】
温水ヒータ４４１の下流には、殺菌水を生成可能な電解槽ユニット（電解槽）４５０が設けられている。ノズル４７３や、電解槽ユニット４５０よりも下流側の流路２０は、電解槽ユニット４５０において生成された殺菌水により殺菌される。電解槽ユニット４５０については、後に詳述する。
【００３５】
電解槽ユニット４５０の下流には、圧力変調装置４６０が設けられている。この圧力変調装置４６０は、流路２０内の水の流れに脈動を与え、ノズル４７３の吐水口４７４から吐水される水に脈動を与えることができる。但し、本発明においては、圧力変調装置４６０は、必ずしも設けられていなくともよい。
【００３６】
圧力変調装置４６０の下流には、水勢（流量）の調整を行う流量切替弁４７１と、ノズル４７３やノズル洗浄室（ノズル洗浄手段）４７８への給水の開閉や切替を行う流路切替弁４７２と、が設けられている。なお、流量切替弁４７１および流路切替弁４７２は、１つのユニットとして設けられていてもよい。続いて、流量切替弁４７１および流路切替弁４７２の下流には、ノズル４７３が設けられている。
【００３７】
ノズル４７３は、前述したように、水を噴射して便座２００に座った使用者の「おしり」などを洗浄できる。これに対して、電解槽ユニット４５０において生成された殺菌水を流路切替弁４７２から便器８００のボウル８０１の表面に吐水する殺菌水吐水ノズルが、ノズル４７３とは別体として設けられていてもよい。この場合には、図示しない殺菌水吐水ノズルは、電解槽ユニット４５０よりも下流側の流路２０に設けられる。衛生洗浄装置１００は、一般的には、便器８００の上に設置され利用される。そのため、ボウル８０１の表面に殺菌水を吐水する殺菌水吐水ノズルが設けられている場合には、衛生洗浄装置１００は、便器８００のボウル８０１の表面に存在する菌を殺菌する装置としても有効に利用され得る。
【００３８】
ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。  
そして、制御部４０５は、電源回路４０１から電力を供給され、トイレ室への使用者の入室を検知する入室検知センサ（人体検知手段）４０２や、便座２００の前方にいる使用者を検知する人体検知センサ（人体検知手段）４０３や、便座２００への使用者の着座を検知する着座検知センサ４０４や、操作部５００などからの信号に基づいて、電磁弁４３１や、温水ヒータ４４１や、電解槽ユニット４５０や、流量切替弁４７１や流路切替弁４７２や、ノズルモータ４７６の動作を制御することができる。
【００３９】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００４０】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００４１】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００４２】
図１に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開くことができる。また、着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されるわけではなく、適宜変更することができる。
【００４３】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４４】
図３は、本実施形態のノズルユニットの具体例を例示する斜視模式図である。  
本実施形態のノズルユニット４７０は、図３に表したように、基台としての取付台４７５と、取付台４７５に支持されたノズル４７３と、ノズル４７３を移動させるノズルモータ４７６と、を有する。ノズル４７３は、図３に表した矢印Ａのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【００４５】
また、本実施形態のノズルユニット４７０には、ノズル洗浄室４７８が設けられている。ノズル洗浄室４７８は、取付台４７５に対して固定され、その内部に設けられた吐水部４７９から殺菌水あるいは水を噴射することにより、ノズル４７３の外周表面（胴体）を殺菌あるいは洗浄することができる。すなわち、制御部４０５が電解槽ユニット４５０の陽極板４５４（図５参照）および陰極板４５５（図５参照）に通電させることにより殺菌水を生成させる場合には、ノズル４７３の胴体は、吐水部４７９から噴射される殺菌水により殺菌される。一方で、制御部４０５が電解槽ユニット４５０の陽極板４５４および陰極板４５５に通電させない場合には、ノズル４７３の胴体は、吐水部４７９から噴射される水により物理的に洗浄される。
【００４６】
より具体的には、ノズル４７３がケーシング４００に収納された状態において、ノズル４７３の吐水口４７４の部分はノズル洗浄室４７８の中にほぼ収容されている。そのため、ノズル洗浄室４７８は、その内部に設けられた吐水部４７９から殺菌水あるいは水を噴射することにより、収納された状態のノズル４７３の吐水口４７４の部分を殺菌あるいは洗浄することができる。また、ノズル洗浄室４７８は、ノズル４７３の進退時において吐水部４７９から水あるいは殺菌水を噴射することにより、吐水口４７４の部分だけではなく他の部分の外周表面を殺菌あるいは洗浄することができる。
【００４７】
また、本実施形態のノズル４７３は、ノズル４７３がケーシング４００に収納された状態において、ノズル４７３自身が有する吐水口４７４から殺菌水あるいは水を吐水することにより吐水口４７４の部分を殺菌あるいは洗浄することができる。さらに、ノズル４７３がケーシング４００に収納された状態では、ノズル４７３の吐水口４７４の部分はノズル洗浄室４７８の中にほぼ収容されているため、ノズル４７３の吐水口４７４から吐水された殺菌水あるいは水は、ノズル洗浄室４７８の内壁により反射して吐水口４７４の部分にかかる。そのため、ノズル４７３の吐水口４７４の部分は、ノズル洗浄室４７８の内壁で反射した殺菌水あるいは水によっても殺菌あるいは洗浄される。
【００４８】
図４は、本実施形態にかかる衛生洗浄装置の動作と流路の状態との概略を表す概念模式図である。  
なお、図４に表した流路の状態は、電解槽ユニット４５０よりも下流側の流路２０の内部の状態を表している。
【００４９】
電解槽ユニット４５０は、図５に関して後述するように、制御部４０５からの通電の制御によって、陽極板４５４と、陰極板４５５と、の間の空間（流路）を流れる水道水を電気分解できる。電解槽ユニット４５０において電気分解された水は、次亜塩素酸を含む液に変化する。
【００５０】
ここで、電解槽ユニット４５０において生成される殺菌水は、銀イオンや銅イオンなどの金属イオンを含む溶液であってもよい。あるいは、電解槽ユニット４５０において生成される殺菌水は、電解塩素やオゾンなどを含む溶液であってもよい。あるいは、電解槽ユニット４５０において生成される殺菌水は、酸性水やアルカリ水であってもよい。これらの中でも、次亜塩素酸を含む溶液は、より強い殺菌力を有する。以下、電解槽ユニット４５０において生成される殺菌水が次亜塩素酸を含む溶液である場合を例に挙げて説明する。
【００５１】
次亜塩素酸は、殺菌成分として機能し、その次亜塩素酸を含む溶液すなわち殺菌水は、アンモニアなどによる汚れを効率的に除去あるいは分解したり、殺菌することができる。ここで、本願明細書において「殺菌水」とは、次亜塩素酸などの殺菌成分を水道水（単に「水」ともいう）よりも多く含む溶液をいうものとする。
【００５２】
ここで、電解槽ユニット４５０が次亜塩素酸を含む溶液すなわち殺菌水を生成するために水道水を電気分解すると、炭酸カルシウム（ＣａＣＯ３）などのスケールが生成される。スケールは、例えば、水に溶けているカルシウムイオン（Ｃａ２＋）と、炭酸（Ｈ２ＣＯ３）から生ずる炭酸イオン（ＣＯ３２−）と、が結合することにより生成される。スケールが生成され、電解槽ユニット４５０の陽極板４５４および陰極板４５５の表面に付着すると、次亜塩素酸の生成効率が低下するおそれがある。
【００５３】
本発明者は、検討の結果、電気分解する水の温度が上昇すると、スケールが生成されやすくなることを見出した。あるいは、本発明者は、検討の結果、電気分解する水のｐＨ（ペーハ：水素イオン濃度）が上昇すると、スケールが生成されやすくなることを見出した。これらについては、後に詳述する。
【００５４】
そこで、本実施形態では、制御部４０５は、電解槽ユニット４５０に通電する際には、温水ヒータ４４１への通電を停止させる、または温水ヒータ４４１への通電量を低減させる制御を実行する。本実施形態にかかる衛生洗浄装置１００の動作の概略について、図４を参照しつつ説明する。
【００５５】
まず、着座検知センサ４０４が便座２００に着座した使用者を検知すると、制御部４０５は、電磁弁４３１を開き、流路２０に上水を供給させる（タイミングｔ１０１）。このとき、衛生洗浄装置１００は、温水ヒータ４４１を動作させる。そのため、流路２０内の水は、便器８００ボウル８０１に排出され、温水ヒータ４４１により加熱された温水に置換される。つまり、制御部４０５は、温水ヒータ４４１を動作させ、吐水口４７４から水を排出させる温水準備を開始させる（タイミングｔ１０１）。なお、温水準備の実行時間は、例えば約６〜１５秒程度である。また、本願明細書において「上水」という場合には、冷水のみならず、加熱されたお湯も含むものとする。
【００５６】
続いて、使用者が操作部５００に設けられた図示しない「おしり洗浄スイッチ」を押すと（タイミングｔ１０２）、制御部４０５は、身体洗浄を実行する信号を受信する。そして、制御部４０５は、まず上水により「前洗浄」を実行する（タイミングｔ１０２〜ｔ１０３）。より具体的には、制御部４０５は、流量切替弁４７１および流路切替弁４７２を制御することにより、複数の全ての吐水口４７４から上水を吐水させ、それらの吐水口４７４を洗浄させる。このときには、制御部４０５は、電解槽ユニット４５０には通電させず殺菌水を生成させない。そのため、複数の吐水口４７４の部分は、吐水口４７４自身が吐水した上水（ノズル洗浄室４７８の内壁で反射した上水を含む）により物理的に洗浄される。なお、前洗浄の実行時間は、例えば約２〜７秒程度である。
【００５７】
続いて、制御部４０５は、流量切替弁４７１および流路切替弁４７２を制御することによりノズル洗浄室４７８に設けられた吐水部４７９から上水を噴射させつつ、ノズル４７３をボウル８０１内に進出させる。そのため、ノズル４７３の胴体は、吐水部４７９から噴射された上水により洗浄される（タイミングｔ１０３〜ｔ１０４）。このときにも、制御部４０５は、電解槽ユニット４５０には通電せず殺菌水を生成させない。そのため、ノズル４７３の胴体は、吐水部４７９から噴射された上水により物理的に洗浄される。なお、ノズル４７３の進出時間は、例えば約１．２〜２．５秒程度である。
【００５８】
続いて、制御部４０５は、流量切替弁４７１および流路切替弁４７２を制御することにより「おしり洗浄」用の吐水口４７４から上水を噴射させ、便座２００に着座した使用者の「おしり」を洗浄させる（タイミングｔ１０４〜ｔ１０５）。このとき、制御部４０５は、電解槽ユニット４５０には通電せず殺菌水を生成させない。そのため、殺菌水が使用者の身体に噴射されることはない。また、温水ヒータ４４１が動作しているため、使用者の身体は、温水ヒータ４４１により加熱された温水で洗浄される。
【００５９】
続いて、使用者が操作部５００により図示しない「止スイッチ」を押すと（タイミングｔ１０５）、制御部４０５は、圧抜きの制御を実行する（タイミングｔ１０５〜ｔ１０６）。そして、制御部４０５は、流量切替弁４７１および流路切替弁４７２を制御することによりノズル洗浄室４７８に設けられた吐水部４７９から上水を噴射させつつ、ノズル４７３をケーシング４００内に収納させる（タイミングｔ１０６〜ｔ１０７）。つまり、制御部４０５は、ノズルの進出時と同様に、吐水部４７９から噴射された上水によりノズル４７３の胴体を物理的に洗浄させる。なお、ノズル４７３の収納時間は、例えば約１．２〜２．５秒程度である。
【００６０】
続いて、ノズル４７３がケーシング４００に収納された状態において、制御部４０５は、流量切替弁４７１および流路切替弁４７２を制御することにより、複数の全ての吐水口４７４から上水を吐水させ、それらの吐水口４７４の「後洗浄」を実行する（タイミングｔ１０７〜ｔ１０８）。このときには、制御部４０５は、電解槽ユニット４５０には通電せず殺菌水を生成させない。そのため、複数の吐水口４７４の部分は、吐水口４７４自身が吐水した上水（ノズル洗浄室４７８の内壁で反射した上水を含む）により物理的に洗浄される。なお、前洗浄の実行時間は、例えば約３秒程度である。
【００６１】
続いて、着座検知センサ４０４が便座２００に着座した使用者を検知しなくなってから所定時間（ここでは、例えば約２５秒間程度）が経過すると、制御部４０５は、電解槽ユニット４５０への通電を開始させ、電解槽ユニット４５０において殺菌水を生成させる（タイミングｔ１０９）。また、制御部４０５は、温水ヒータ４４１への通電を停止させる、または温水ヒータ４４１への通電量を低減させる（タイミングｔ１０９）。ここで、本願明細書において、「通電量を低減させる」とは、温水ヒータ４４１により加熱される水の温度が身体洗浄を実行する際の温水温度の設定値よりも低い温度となるような通電量に低減させることをいうものとする。なお、身体洗浄を実行する際の温水温度の設定値は、例えば約３０〜４０℃程度である。
【００６２】
制御部４０５が電解槽ユニット４５０への通電を開始させる際に、電解槽ユニット４５０内に温水がある場合には、制御部４０５は、電磁弁４３１を開くことにより電解槽ユニット４５０の温水を排出させ、加熱されていない水に置換させた後に電解槽ユニット４５０への通電を開始させる。
【００６３】
さらに、制御部４０５は、電磁弁４３１を開き、電解槽ユニット４５０よりも下流側の流路２０に殺菌水を供給させる（タイミングｔ１０９）。これにより、電解槽ユニット４５０よりも下流側の流路２０は、殺菌水により殺菌される。また、制御部４０５は、流量切替弁４７１および流路切替弁４７２を制御することにより、複数の全ての吐水口４７４から殺菌水を吐水させ、それらの吐水口４７４の「前殺菌」を実行する（タイミングｔ１０９〜ｔ１１０）。そのため、複数の吐水口４７４の部分は、吐水口４７４自身が吐水した殺菌水（ノズル洗浄室４７８の内壁で反射した殺菌水を含む）により殺菌される。なお、前殺菌の実行時間は、例えば約３秒程度である。
【００６４】
続いて、制御部４０５は、流量切替弁４７１および流路切替弁４７２を制御することによりノズル洗浄室４７８に設けられた吐水部４７９から殺菌水を噴射させつつ、ノズル４７３をノズル４７３をボウル８０１内に進出させ、その後にケーシング４００に収納させる（タイミングｔ１１０〜ｔ１１１）。つまり、制御部４０５は、吐水部４７９から噴射された殺菌水によりノズル４７３の「胴体洗浄」を行う（タイミングｔ１１０〜ｔ１１１）。これにより、電解槽ユニット４５０よりも下流側の流路２０の内部およびノズル４７３の胴体は、殺菌水により殺菌される。なお、殺菌水による胴体洗浄の実行時間は、例えば約５秒程度である。
【００６５】
続いて、ノズル４７３がケーシング４００に収納された状態において、制御部４０５は、流量切替弁４７１および流路切替弁４７２を制御することにより、複数の全ての吐水口４７４から殺菌水を吐水させ、それらの吐水口４７４の「後殺菌」を実行する（タイミングｔ１１１〜ｔ１１２）。そのため、複数の吐水口４７４の部分は、吐水口４７４自身が吐水した殺菌水（ノズル洗浄室４７８の内壁で反射した殺菌水を含む）により殺菌される。なお、後殺菌の実行時間は、例えば約３秒程度である。
【００６６】
続いて、制御部４０５は、電磁弁４３１を閉じ、その後、流路切替弁４７２閉じて、電解槽ユニット４５０において生成した殺菌水を流路２０の内部に所定時間保持する（タイミングｔ１１２〜ｔ１１３）。これにより、使用者が「おしり洗浄」を実行した後において、流路２０の内部を殺菌することができる。そして、ここにいう所定時間とは、例えば約６０分程度である。このように、本実施形態にかかる衛生洗浄装置１００は、流路２０の内部に殺菌水をより長い時間保持するため、流路２０の内部に生存する細菌をより確実に殺菌することができる。
【００６７】
続いて、所定時間が経過すると、制御部４０５は、「水抜き」を行う（タイミングｔ１１３〜ｔ１１４）。つまり、制御部４０５は、流路２０の内部の殺菌水を抜き、流路２０の内部を空にさせる。この「水抜き」の実行時間は、例えば約３０秒程度である。このように、本実施形態にかかる衛生洗浄装置１００は、流路２０の内部に殺菌水を所定時間保持した後に、流路２０の内部の殺菌水を抜き、流路２０の内部を空にさせるため、殺菌水の殺菌力が経時変化により低下した場合でも、その殺菌水が細菌の栄養源となることを抑制することができる。
【００６８】
続いて、制御部４０５は、タイミングｔ１１２〜ｔ１１３に関して前述した動作と同様に、電解槽ユニット４５０において生成した殺菌水を流路２０の内部に所定時間保持する（タイミングｔ１１４〜ｔ１１５）。  
続いて、衛生洗浄装置１００が最後に使用されてから所定時間（ここでは、例えば８時間程度）が経過すると、制御部４０５は、タイミングｔ１０９〜ｔ１１０およびタイミングｔ１１１〜ｔ１１２に関して前述した動作と同様に、「前殺菌」および「後殺菌」を実行する（タイミングｔ１１５〜ｔ１１６およびタイミングｔ１１６〜ｔ１１７）。
【００６９】
本実施形態によれば、制御部４０５は、電解槽ユニット４５０への通電を開始させ、電解槽ユニット４５０において殺菌水を生成させ、ノズル４７３を殺菌させる際には、温水ヒータ４４１への通電を停止させる、または温水ヒータ４４１への通電量を低減させる。そのため、制御部４０５が電解槽ユニット４５０への通電を開始させる際には、電解槽ユニット４５０の中の水は、加熱されていない水である。あるいは、制御部４０５が電解槽ユニット４５０への通電を開始させる際に、電解槽ユニット４５０内に温水がある場合には、制御部４０５は、電磁弁４３１を開くことにより電解槽ユニット４５０の温水を排出させ、加熱されていない水に置換させた後に電解槽ユニット４５０への通電を開始させる。そのため、制御部４０５が電解槽ユニット４５０への通電を開始させる際には、電解槽ユニット４５０の中の温水は、加熱されていない水に置換されている。これにより、スケールの生成の増加を抑えることができる。
【００７０】
また、制御部４０５は、温水ヒータ４４１への通電量を低減させているときでも、流路２０や電解槽ユニット４５０などの中の水が凍結することを防止するために、水温が所定温度（例えば約６℃程度）以下になると、温水ヒータ４４１に通電（温水ヒータ４４１をオン／オフ制御）させ水温を上昇させる場合がある。この場合でも、凍結防止のための通電量は、温水ヒータ４４１により加熱される水の温度が身体洗浄を実行する際の温水温度の設定値よりも低い温度となるような通電量である。そのため、この場合でも、スケールの生成の増加を抑えることができる。つまり、本願明細書において、「通電量を低減させる」という範囲には、「凍結防止の際に温水ヒータ４４１に通電させる」場合が包含されるものとする。
【００７１】
また、使用者が便座２００から離座した後やトイレ室から退室した後などには、次の使用者のために身体を洗浄する際の水の温度で殺菌を行うことはなく、制御部４０５は、温水ヒータ４４１により加熱される水の温度が身体洗浄を実行する際の温水温度の設定値よりも低い温度となるような通電量に温水ヒータ４４１の通電量を低減させる。そのため、身体洗浄の際の水の温度の設定値よりも低い温度の殺菌水でノズル４７３を殺菌することができる。これにより、スケールの生成の増加を抑えることができる。
【００７２】
また、着座検知センサ４０４が便座２００に着座した使用者を検知しなくなった後に、制御部４０５は、電解槽ユニット４５０への通電を開始させ、電解槽ユニット４５０において殺菌水を生成させる。そのため、使用者の身体洗浄の利用を考慮する必要はなく、流路２０内に温水を保持しておく必要はない。これにより、制御部４０５は、温水ヒータ４４１への通電を停止させた状態で殺菌水を生成させることができる。
【００７３】
さらに、使用者が便座２００から離座した後にすぐに衛生洗浄装置１００を利用する場合を考慮し、温水ヒータ４４１により加熱された温水を流路２０内に残しておく場合がある。この場合でも、本実施形態では、着座検知センサ４０４が便座２００に着座した使用者を検知しなくなってから所定時間が経過した後に、制御部４０５は、電解槽ユニット４５０への通電を開始させ、電解槽ユニット４５０において殺菌水を生成させる。そのため、制御部４０５は、使用者が便座２００から確実に離座した後にノズル４７３を殺菌させることができる。
【００７４】
なお、図４に表した動作では、着座検知センサ４０４が便座２００に着座した使用者を検知しなくなった後に、ノズル４７３を殺菌水により殺菌する場合を例に挙げて説明したが、これだけに限定されるわけではない。制御部４０５は、人体検知センサ４０３あるいは入室検知センサ４０２が使用者を検知しなくなった後に、ノズル４７３を殺菌水により殺菌させてもよい。この場合でも、制御部４０５は、温水ヒータ４４１への通電を停止させ、または温水ヒータ４４１への通電量を低減させ、電解槽ユニット４５０において殺菌水を生成させることができる。そして、スケールの生成の増加を抑えることができる。
【００７５】
図５は、本実施形態の電解槽ユニットにおいて生成されるスケールを説明するための平面模式図である。  
また、図６は、ｐＨの変化に基づく炭酸カルシウムおよび炭酸イオンの溶解量の変化を表すグラフ図である。
【００７６】
電解槽ユニット４５０は、図５に表したように、その内部に陽極板４５４および陰極板４５５を有し、制御部４０５からの通電の制御によって、陽極板４５４と、陰極板４５５と、の間の空間（流路）を流れる水道水を電気分解できる。この際、陰極板４５５では、式（１）に表した反応が生ずる。  
Ｈ＋＋ｅ−  →  １／２Ｈ２↑                 ・・・（１）
【００７７】
そのため、陰極板４５５においては酸（Ｈ＋）が消費され、陰極板４５５の近傍ではｐＨが上昇する。ｐＨが上昇すると、図６に表したように、炭酸イオン（ＣＯ３２−）の溶解量は上昇する。ｐＨの上昇に伴い、炭酸（Ｈ２ＣＯ３）が水素イオン（Ｈ＋）を放出し炭酸イオン（ＣＯ３２−）を生成し、式（２）に表した反応が生ずる。そして、発生した炭酸イオン（ＣＯ３２−）と水道水中に存在するカルシウムイオン（Ｃａ２＋）が結合し、式（３）に表した反応が生ずる。つまり、ｐＨの上昇が、図６に表したように、炭酸カルシウム（ＣａＣＯ３：スケール）生成（溶解度低下による析出）を引き起こす。
Ｈ２ＣＯ３  →  ２Ｈ＋＋ＣＯ３２−              ・・・（２）
Ｃａ２＋＋ＣＯ３２−  →  ＣａＣＯ３            ・・・（３）
【００７８】
一方、陽極板４５４では、式（４）に表した反応が生ずる。また、水道水は、塩素イオン（Ｃｌ−）を含んでいる。この塩素イオンは、水源（例えば、地下水や、ダムの水や、河川などの水）に食塩（ＮａＣｌ）や塩化カルシウム（ＣａＣｌ２）として含まれている。そのため、式（５）に表した反応が生ずる。
２ＯＨ−  →  ２ｅ−＋Ｈ２Ｏ＋１／２Ｏ２↑    ・・・（４）
Ｃｌ−  →  ｅ−＋１／２Ｃｌ２               ・・・（５）
【００７９】
式（５）において発生した塩素は、気泡としては存在しにくく、ほとんどの塩素は水に溶解する。そのため、式（５）において発生した塩素については、式（６）に表した反応が生ずる。このようにして、塩素イオンを電気分解することにより次亜塩素酸（ＨＣｌＯ）が生成される。その結果、電解槽ユニット４５０において電気分解された水は、次亜塩素酸を含む液に変化する。なお、陽極板４５４においてはアルカリ（ＯＨ−）が消費されるため、陽極板４５４の近傍ではｐＨが下降する。
Ｃｌ２＋Ｈ２Ｏ  →  ＨＣｌＯ＋Ｈ＋＋Ｃｌ−    ・・・（６）
【００８０】
図７は、本実施形態の熱交換器ユニットにおいて生成されるスケールを説明するための平面模式図である。  
また、図８は、温度変化に基づく炭酸カルシウムの溶解量の変化を表すグラフ図である。
【００８１】
例えば制御部４０５が電解槽ユニット４５０への通電を開始させることにより、熱交換器ユニット４４０内の水温が上昇すると、炭酸は、水中に溶けにくくなり、二酸化酸素（ＣＯ２）として空気中に放出される。そうすると、温水ヒータ４４１の近傍では、ｐＨが上昇する。そのため、図５および図６に関して前述したように、スケールが生成されやすくなる。また、水温が上昇すると、図８に表したように、炭酸カルシウムの溶解量は下降する。つまり、水温が上昇すると、炭酸カルシウムは、水には溶解しにくくなる。そのため、水温が上昇すると、スケールは、生成されやすくなり、また析出されやすくなる。
【００８２】
これは、熱交換器ユニット４４０だけではなく、電解槽ユニット４５０においても同様である。つまり、より高温の水が電解槽ユニット４５０に供給され、その電解槽ユニット４５０がより高温の水を電気分解すると、スケールは、生成されやすくなり、また析出されやすくなる。
【００８３】
このように、水の温度が上昇すると、電解槽ユニット４５０および熱交換器ユニット４４０においてスケールが生成されやすくなる。そのため、スケールの生成の増加を抑え、次亜塩素酸の生成効率の低下を抑えるためには、電解槽ユニット４５０および熱交換器ユニット４４０におけるスケールの生成の増加を抑える必要がある。
【００８４】
これに対して、本実施形態によれば、制御部４０５は、電解槽ユニット４５０への通電を開始させる際には、温水ヒータ４４１への通電を停止させる、または温水ヒータ４４１への通電量を低減させる。そのため、電解槽ユニット４５０において殺菌水を生成する際に、電解槽ユニット４５０および熱交換器ユニット４４０の中の水の温度の上昇を抑えることができる。これにより、電解槽ユニット４５０および熱交換器ユニット４４０におけるスケールの生成の増加を抑えることができる。
【００８５】
図９は、本実施形態にかかる衛生洗浄装置の動作の具体例を例示するタイミングチャートである。  
まず、着座検知センサ４０４が便座２００に着座した使用者を検知すると（タイミングｔ２０１）、制御部４０５は、流量切替弁４７１および流路切替弁４７２を「原点」から「ＳＣ（セルフクリーニング）」に切り替えさせ、「おしり洗浄」および「ビデ洗浄」のための全ての吐水口４７４からの吐水を可能とさせる。このときの流量（水量）は、例えば約４５０ｃｃ／分である。
【００８６】
続いて、流量切替弁４７１および流路切替弁４７２の切り替えが完了すると（タイミングｔ２０２）、制御部４０５は、電磁弁４３１を開き、温水ヒータ４４１を「捨水モード」に設定させる。これにより、流路２０内の冷水が排水され、温水準備が再び行われる。続いて、制御部４０５は、温水準備を完了させると、電磁弁４３１を閉じ、流量切替弁４７１および流路切替弁４７２を「ＳＣ」から「原点（バイパス１）」に切り替えさせる（タイミングｔ２０３）。さらに、制御部４０５は、温水ヒータ４４１を「捨水モード」から「保温制御モード」に設定変更させる（タイミングｔ２０３）。
【００８７】
続いて、使用者が操作部５００に設けられた図示しない「おしり洗浄スイッチ」を押すと（タイミングｔ２０４）、制御部４０５は、身体洗浄を実行する信号を受信する。そして、制御部４０５は、流量切替弁４７１および流路切替弁４７２を「原点」から「ＳＣ」に切り替えさせ、電磁弁４３１を開き、温水ヒータ４４１を「前洗浄モード、本洗浄モード、後洗浄モード」に設定させる。
【００８８】
このとき、制御部４０５は、電解槽ユニット４５０には通電させず殺菌水を生成させない。また、制御部４０５は、温水ヒータ４４１を「前洗浄モード、本洗浄モード、後洗浄モード」に設定させ水を加熱させている。そのため、吐水口４７４の部分は、吐水口４７４自身が吐水した温水により洗浄される。
【００８９】
続いて、制御部４０５は、流量切替弁４７１および流路切替弁４７２を「ＳＣ」から「バイパス２」に切り替えさせ、ノズル洗浄室４７８に設けられた吐水部４７９から水を噴射可能とさせる（タイミングｔ２０５）。続いて、制御部４０５は、ケーシング４００に収納されていたノズル４７３を「おしり洗浄」の位置まで進出させる（タイミングｔ２０６〜ｔ２０７）。
【００９０】
このとき、制御部４０５は、電磁弁４３１を開いており、電解槽ユニット４５０には通電させず殺菌水を生成させていない。また、制御部４０５は、温水ヒータ４４１を「前洗浄モード、本洗浄モード、後洗浄モード」に設定させ水を加熱させている。そのため、ノズル４７３の胴体は、吐水部４７９から噴射された温水により洗浄される。
【００９１】
続いて、制御部４０５は、流量切替弁４７１および流路切替弁４７２を「バイパス２」から「おしり水勢５」に切り替えさせ（タイミングｔ２０７〜ｔ２０８）、本洗浄（おしり洗浄）を実行する（タイミングｔ２０８〜ｔ２０９）。なお、例えば、使用者が「おしり洗浄」における水勢を「水勢５」から「水勢３」に操作部５００により設定変更した場合には、制御部４０５は、流量切替弁４７１および流路切替弁４７２を「おしり水勢５」から「おしり水勢３」に切り替えさせる（タイミングｔ２０９〜ｔ２１０）。そして、制御部４０５は、「水勢３」において本洗浄を継続させる（タイミングｔ２１０〜ｔ２１１）。
【００９２】
この本洗浄では、制御部４０５は、電解槽ユニット４５０には通電させず殺菌水を生成させない。そのため、殺菌水が使用者の身体に噴射されることはない。また、温水ヒータ４４１が「前洗浄モード、本洗浄モード、後洗浄モード」に設定されているため、使用者の身体は、温水ヒータ４４１により加熱された温水で洗浄される。
【００９３】
続いて、使用者が操作部５００により図示しない「止スイッチ」を押すと、制御部４０５は、流量切替弁４７１および流路切替弁４７２を「おしり水勢３」から「バイパス２」に切り替えさせ、ノズル洗浄室４７８に設けられた吐水部４７９から水を噴射可能とさせる（タイミングｔ２１１）。続いて、制御部４０５は、「おしり洗浄」の位置に進出していたノズル４７３をケーシング４００に収納させる（タイミングｔ２１２〜ｔ２１３）。
【００９４】
このとき、制御部４０５は、電磁弁４３１を開いており、電解槽ユニット４５０には通電させず殺菌水を生成させていない。また、制御部４０５は、温水ヒータ４４１を「前洗浄モード、本洗浄モード、後洗浄モード」に設定させ水を加熱させている。そのため、ノズル４７３の胴体は、吐水部４７９から噴射された温水により洗浄される。
【００９５】
続いて、ノズル４７３がケーシング４００に収納された状態において、制御部４０５は、流量切替弁４７１および流路切替弁４７２を「バイパス２」から「ＳＣ」に切り替えさせ、「おしり洗浄」および「ビデ洗浄」のための全ての吐水口４７４から吐水することにより後洗浄を行う（タイミングｔ２１３〜ｔ２１４）。
【００９６】
このときにも、制御部４０５は、電磁弁４３１を開いており、電解槽ユニット４５０には通電させず、殺菌水を生成させていない。また、制御部４０５は、温水ヒータ４４１を「前洗浄モード、本洗浄モード、後洗浄モード」に設定させ水を加熱させている。そのため、ノズル４７３の吐水口４７４の部分は、吐水口４７４自身が吐水した温水により洗浄される。
【００９７】
さらに、制御部４０５は、電磁弁４３１を閉じ、流量切替弁４７１および流路切替弁４７２を「ＳＣ」から「原点」に切り替えさせる（タイミングｔ２１４）。またさらに、制御部４０５は、温水ヒータ４４１を「前洗浄モード、本洗浄モード、後洗浄モード」に「保温制御モード」に設定変更させる（タイミングｔ２１４）。
【００９８】
続いて、使用者が「おしり乾燥」を適宜行い便座２００から離座した後（タイミングｔ２１５）、所定時間（ここでは、例えば約２５秒間程度）が経過すると、制御部４０５は、流量切替弁４７１および流路切替弁４７２を「原点」から「ＳＣ」に切り替えさせ、「おしり洗浄」および「ビデ洗浄」のための全ての吐水口４７４からの吐水を可能とさせる（タイミングｔ２１６）。さらに、制御部４０５は、電磁弁４３１を開く（タイミングｔ２１６）。
【００９９】
続いて、制御部４０５は、電解槽ユニット４５０への通電を開始させる（タイミングｔ２１７）。さらに、制御部４０５は、温水ヒータ４４１を「凍結防止モード」から「ヒータ通電禁止モード」に設定変更させる（タイミングｔ２１７）。つまり、制御部４０５は、温水ヒータ４４１への通電を停止させる。これにより、吐水口４７４の「前殺菌」が実行される。
【０１００】
ここで、制御部４０５は、電磁弁４３１を開いた後に（タイミングｔ２１６）、電解槽ユニット４５０への通電を開始させている（タイミングｔ２１７）。そのため、電解槽ユニット４５０内に温水がある場合でも、その温水は、排出され加熱されていない水に置換される。つまり、制御部４０５は、電解槽ユニット４５０の温水を排出させ、加熱されていない水に置換させた後に電解槽ユニット４５０への通電を開始させることができる。これにより、温水が電気分解されることを抑えることができ、スケールの生成の増加を抑えることができる。
【０１０１】
また、制御部４０５は、電磁弁４３１を開いた後に電解槽ユニット４５０への通電を開始させているため、電解槽ユニット４５０の電極間に水がない状態で通電されることを防止することができる。これにより、陽極板４５４および陰極板４５５に局所的に通電されることを防止することができ、陽極板４５４および陰極板４５５の寿命の低下を抑えることができる。
【０１０２】
続いて、制御部４０５は、流量切替弁４７１および流路切替弁４７２を「ＳＣ」から「原点」に切り替えさせる（タイミングｔ２１８）。続いて、制御部４０５は、ケーシング４００に収納されていたノズル４７３を「最進出」の位置まで進出させる（タイミングｔ２１９〜ｔ２２０）。このとき、制御部４０５は、電磁弁４３１を開いており、電解槽ユニット４５０に通電させているため、ノズル４７３の胴体は、吐水部４７９から噴射される殺菌水により殺菌される。続いて、制御部４０５は、「最進出」の位置に進出していたノズル４７３をケーシング４００に収納させる（タイミングｔ２２０〜ｔ２２１）。このときにも、制御部４０５は、電磁弁４３１を開いており、電解槽ユニット４５０に通電させているため、ノズル４７３の胴体は、吐水部４７９から噴射される殺菌水により殺菌される。
【０１０３】
続いて、制御部４０５は、流量切替弁４７１および流路切替弁４７２を「原点」から「ＳＣ」に切り替えさせ、「おしり洗浄」および「ビデ洗浄」のための全ての吐水口４７４からの吐水を可能とさせる（タイミングｔ２２１）。これにより、吐水口４７４の「後殺菌」が実行される。
【０１０４】
続いて、制御部４０５は、電解槽ユニット４５０への通電を停止させ、温水ヒータ４４１を「ヒータ通電禁止モード」から「凍結防止モード」に設定変更させる（タイミングｔ２２２）。さらに、制御部４０５は、電磁弁４３１を閉じ、流量切替弁４７１および流路切替弁４７２を「ＳＣ」から「原点」に切り替えさせる（タイミングｔ２２２）。
【０１０５】
続いて、衛生洗浄装置１００が最後に使用されてから所定時間（ここでは、例えば８時間程度）が経過すると、制御部４０５は、流量切替弁４７１および流路切替弁４７２を「原点」から「ＳＣ」に切り替えさせ、「おしり洗浄」および「ビデ洗浄」のための全ての吐水口４７４からの吐水を可能とさせる（タイミングｔ２２３）。さらに、制御部４０５は、電磁弁４３１を開く（タイミングｔ２２３）。その後、制御部４０５は、電解槽ユニット４５０への通電を開始させる（タイミングｔ２２４）。これにより、流路２０内および吐水口４７４の定期的な殺菌が実行される。
【０１０６】
続いて、制御部４０５は、電解槽ユニット４５０への通電を停止させる（タイミングｔ２２５）。さらに、制御部４０５は、電磁弁４３１を閉じ、流量切替弁４７１および流路切替弁４７２を「ＳＣ」から「原点」に切り替えさせる（タイミングｔ２２５）。
【０１０７】
なお、本具体例では、制御部４０５は、「前殺菌」を行う際に温水ヒータ４４１を「凍結防止モード」から「ヒータ通電禁止モード」に設定変更させているが（タイミングｔ２１７）、これだけに限定されるわけではない。制御部４０５は、「前殺菌」を行う際に温水ヒータ４４１を「凍結防止モード」のままに設定しておいてもよい。つまり、タイミングｔ２１７〜ｔ２２２において、制御部４０５は、温水ヒータ４４１を「凍結防止モード」のままに設定しておいてもよい。
【０１０８】
この場合には、制御部４０５は、水温が所定温度（例えば約６℃程度）以下になると、温水ヒータ４４１に通電（温水ヒータ４４１をオン／オフ制御）させ水温を上昇させる。ここで、凍結防止のための通電量は、温水ヒータ４４１により加熱される水の温度が身体洗浄を実行する際の温水温度の設定値よりも低い温度となるような通電量である。そのため、この場合でも、スケールの生成の増加を抑えることができる。また、寒冷地以外では、温水ヒータ４４１は、「凍結防止モード」に設定されていても実質的には停止している状態と同様である。
【０１０９】
一方、図９に表した具体例では、制御部４０５は、「前殺菌」を行う際に温水ヒータ４４１を「凍結防止モード」から「ヒータ通電禁止モード」に設定変更させている（タイミングｔ２１７）。つまり、制御部４０５は、「前殺菌」を行う際に温水ヒータ４４１への通電を停止させている。この場合には、制御部４０５は、水温が所定温度（例えば約６℃程度）以下になっても、温水ヒータ４４１に通電させないが、電磁弁４３１が開かれ、水が流路２０内を通水されているため、水が凍結するおそれは少ない。
【０１１０】
以上説明したように、本実施形態によれば、制御部４０５は、電解槽ユニット４５０への通電を開始させ、電解槽ユニット４５０において殺菌水を生成させ、ノズル４７３を殺菌させる際には、温水ヒータ４４１への通電を停止させる、または温水ヒータ４４１への通電量を低減させる。そのため、制御部４０５が電解槽ユニット４５０への通電を開始させる際には、電解槽ユニット４５０の中の水は、加熱されていない水である。あるいは、制御部４０５が電解槽ユニット４５０への通電を開始させる際には、電解槽ユニット４５０の中の温水は、加熱されていない水に置換されている。これにより、スケールの生成の増加を抑えることができる。
【０１１１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などやノズル４７３やノズル洗浄室４７８の設置形態などは、例示したものに限定されるわけではなく適宜変更することができる。また、着座検知センサ４０４が便座２００に着座した使用者を検知しなくなってから制御部４０５が電解槽ユニット４５０への通電を開始させるまでの所定時間（図４および図９に関して前述した例では２５秒間程度）については、適宜変更することができる。さらに、衛生洗浄装置１００が最後に使用されてから制御部４０５が定期的な殺菌を実行させるまでの所定時間（図４および図９に関して前述した例では８時間程度）については、適宜変更することができる。また、ボウル８０１の表面に殺菌水を吐水する殺菌水吐水ノズルの吐水のタイミングは、便器洗浄後がより望ましいが、これだけに限定されるわけではなく適宜変更可能である。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１２】
１０ 給水源、  ２０ 流路、  １００ 衛生洗浄装置、  ２００ 便座、  ３００ 便蓋、  ３１０ 透過窓、  ４００ ケーシング、  ４０１ 電源回路、  ４０２ 入室検知センサ、  ４０３ 人体検知センサ、  ４０４ 着座検知センサ、  ４０５ 制御部、  ４０７ 排気口、  ４０８ 排出口、  ４０９ 凹設部、  ４３１ 電磁弁、  ４４０ 熱交換器ユニット、  ４４１ 温水ヒータ、  ４５０ 電解槽ユニット、  ４５４ 陽極板、  ４５５ 陰極板、  ４６０ 圧力変調装置、  ４７０ ノズルユニット、  ４７１ 流量切替弁、  ４７２ 流路切替弁、  ４７３ ノズル、  ４７４ 吐水口、  ４７５ 取付台、  ４７６ ノズルモータ、  ４７７ 伝動部材、  ４７８ ノズル洗浄室、  ４７９ 吐水部、  ５００ 操作部、  ８００ 便器、  ８０１ ボウル
【要約】
【課題】スケールの生成の増加を抑えることができる衛生洗浄装置を提供することを目的とする。
【解決手段】吐水口を有し、前記吐水口から水を噴射して使用者の身体を洗浄するノズルと、給水源から供給される水を前記吐水口へ導く流路と、前記流路の途中に設けられ、殺菌水を生成可能な電解槽と、前記電解槽よりも上流側の流路に設けられた加熱手段と、前記加熱手段により加熱された水または前記電解槽により生成された殺菌水にて前記ノズルを洗浄または殺菌するノズル洗浄手段と、前記電解槽に通電させる際には、前記加熱手段への通電を停止させる、または前記加熱手段への通電量を低減させる制御を実行する制御部と、を備えたことを特徴とする衛生洗浄装置である。
【選択図】図４【図１】
0004756404.tif 000002
【図２】
0004756404.tif 000003
【図３】
0004756404.tif 000004
【図４】
0004756404.tif 000005
【図５】
0004756404.tif 000006
【図６】
0004756404.tif 000007
【図７】
0004756404.tif 000008
【図８】
0004756404.tif 000009
【図９】
0004756404.tif 000010